(57)【要約】      （修正有）【課題】端末装置の種類や数に合せて柔軟な形態をとることができ、さらに端末装置として通信端末に限らず家電機器も接続可能なＵＮＩを構成する。【解決手段】ＩＰネットワークと、ＩＰネットワーク上で制御される呼制御プロトコルを処理するＵＮＩを有する第１の端末装置およびＩＰネットワークと接続機能がない既存インタフェースをもつ第２の端末装置とを相互接続する網終端装置において、ＩＰネットワークの光加入者線を終端するＯＮＵと、ＯＮＵを介してＩＰネットワークとの間の信号送受信を制御するＵＮＩ制御部と、第２の端末装置の既存インタフェースとの間の信号送受信を制御する回線制御部と、第２の端末装置をＩＰネットワークに接続するときに回線制御部を介してＵＮＩ制御部に接続する接続処理手段とを含む第１ユニットとを備える。【選択図】図２
2010178180.tif 000002
【特許請求の範囲】
【請求項１】
ＩＰ(Internet Protocol) ネットワークと、ＩＰネットワーク上で制御される呼制御プロトコルを処理するＵＮＩ(User Network Interface)を有する第１の端末装置およびＩＰネットワークと接続機能がない既存インタフェースをもつ第２の端末装置とを相互接続する網終端装置において、
前記ＩＰネットワークの光加入者線を終端するＯＮＵ（Optical Network Unit）と、
前記ＯＮＵを介して前記ＩＰネットワークとの間の信号送受信を制御するＵＮＩ制御部と、前記第２の端末装置の既存インタフェースとの間の信号送受信を制御する回線制御部と、前記第２の端末装置を前記ＩＰネットワークに接続するときに前記回線制御部を介して前記ＵＮＩ制御部に接続する接続処理手段とを含む第１ユニットと
を備えたことを特徴とする網終端装置。
【請求項２】
ＩＰ(Internet Protocol) ネットワークと、ＩＰネットワーク上で制御される呼制御プロトコルを処理するＵＮＩ(User Network Interface)を有する第１の端末装置およびＩＰネットワークと接続機能がない既存インタフェースをもつ第２の端末装置とを相互接続する網終端装置において、
前記ＩＰネットワークの光加入者線を終端するＯＮＵ（Optical Network Unit）と、
前記ＯＮＵを介して前記ＩＰネットワークとの間の信号送受信を制御するＵＮＩ制御部と、前記第１の端末装置を前記ＩＰネットワークに接続するときに前記ＵＮＩ制御部に接続する接続処理手段とを含む第２ユニットと
を備えたことを特徴とする網終端装置。
【請求項３】
ＩＰ(Internet Protocol) ネットワークと、ＩＰネットワーク上で制御される呼制御プロトコルを処理するＵＮＩ(User Network Interface)を有する第１の端末装置およびＩＰネットワークと接続機能がない既存インタフェースをもつ第２の端末装置とを相互接続する網終端装置において、
前記ＩＰネットワークの光加入者線を終端するＯＮＵ（Optical Network Unit）と、
前記ＯＮＵを介して前記ＩＰネットワークとの間の信号送受信を制御するＵＮＩ制御部と、前記第１の端末装置を前記ＩＰネットワークに接続するときに前記ＵＮＩ制御部に接続する接続処理手段とを含む第２ユニットと、
前記第２ユニットおよび前記ＯＮＵを介して前記ＩＰネットワークとの間の信号送受信を制御するＵＮＩ制御部と、前記第２の端末装置の既存インタフェースとの間の信号送受信を制御する回線制御部と、前記第２の端末装置を前記ＩＰネットワークに接続するときに前記回線制御部を介して前記ＵＮＩ制御部に接続する接続処理手段とを含む第１ユニットと
を備え、前記第１の端末装置を前記ＩＰネットワークに接続するときは前記第２のユニットに収容し、前記第２の端末装置を前記ＩＰネットワークに接続するときは前記第１のユニットを介して前記第２のユニットに収容する構成である
ことを特徴とする網終端装置。
【請求項４】
請求項１または請求項３に記載の網終端装置において、
前記第１ユニットの前記回線制御部は、前記第２の端末装置として家電機器が接続されたときに当該家電機器の機能区分を含む家電機器情報に基づいて当該家電機器の検出情報の通知先の問い合わせを行い、得られた通知先に当該検出情報を送信する機能を含み、
前記第１ユニットは、前記家電機器情報に基づく問い合わせを受けて、あるいは定期的に前記ＩＰネットワークを介してサービスセンタにアクセスし、前記家電機器情報に応じた通知先を含む家電機器制御情報を入手して蓄積し、当該家電機器制御情報を前記回線制御部に応答する家電機器制御手段を備えた
ことを特徴とする網終端装置。
【請求項５】
請求項４に記載の網終端装置において、
前記家電機器制御手段は、前記家電機器制御情報として前記通知先の発呼先ＩＤとともに発呼先の種別およびメディアタイプを蓄積する構成であり、
前記回線制御部は、前記家電機器の検出情報を前記発呼先の種別およびメディアタイプに応じた形態で送信する構成である
ことを特徴とする網終端装置。
【請求項６】
請求項２または請求項３に記載の網終端装置において、
前記第２ユニットは、前記第１の端末装置として家電機器が接続されたときに当該家電機器の機能区分を含む家電機器情報に基づいて当該家電機器の検出情報の通知先の問い合わせを行い、得られた通知先に当該検出情報を送信する機能と、前記家電機器情報に基づく問い合わせを受けて、あるいは定期的に前記ＩＰネットワークを介してサービスセンタにアクセスし、前記家電機器情報に応じた通知先を含む家電機器制御情報を入手して蓄積し、前記問い合わせに対する家電機器制御情報を応答する機能とを含む家電機器制御手段を備えた
ことを特徴とする網終端装置。
【発明の詳細な説明】
【技術分野】
【０００１】
本発明は、ＩＰ(Internet Protocol) ネットワークと、ＳＩＰ（Session Initiation Orotocol)等のＩＰネットワーク上で制御する呼制御プロトコルを処理するＵＮＩ(User Network Interface)を有する第１の端末装置とを相互接続し、さらにＩＰネットワークとＩＰネットワークと接続機能がない既存インタフェースをもつ第２の端末装置とを相互接続する網終端装置に関する。
ここで、ＩＰネットワークとして例えばＮＧＮ(Next Generation Network) を想定した場合に、以下の説明では第１の端末装置をＮＧＮＵＮＩ端末装置とし、第２の端末装置を非ＮＧＮＵＮＩ端末装置とする。ＮＧＮは、ＩＰネットワークでＳＩＰ等の呼制御プロトコルを処理できる呼制御手段を備えている。非ＮＧＮＵＮＩ端末装置はアナログ電話やＩＳＤＮ等の既存インタフェースをもつ。網終端装置にＮＧＮＵＮＩ端末装置を収容する場合は、ゲートウェイ機能を用いずにＮＧＮＵＮＩ端末装置から受信したＩＮＶＩＴＥ信号等を転送する。一方、網終端装置に非ＮＧＮＵＮＩ端末装置を収容する場合は、ＩＮＶＩＴＥ信号等を処理できないのでゲートウェイ機能が必要になる。
【背景技術】
【０００２】
ＮＧＮは、電話サービスをはじめ、固定通信と移動通信を融合したサービスや今後開発される新しい情報通信サービスを提供する基盤ネットワークである（非特許文献１）。
【０００３】
このＮＧＮを実現するには、オープン性を高めることが重要な課題の一つになる。オープン性を高めるには、ユーザ側でさまざまな種類の端末装置を接続できるようにし、さらにユーザ宅内に設置される家電機器のネットワーク化にも対応できることが重要になる。すなわちＵＮＩの構成が、端末装置の種類や数に合せて柔軟な形態をとることができ、さらに端末装置として通信端末に限らず家電機器も接続できることが必要になる。
【０００４】
このようなＵＮＩの構成技術としては、図１５に示すように、ネットワーク９０と端末装置９１との間にあって信号の受け渡しを行う装置として網終端装置９２がある。網終端装置９２は、通信線がＩＳＤＮ回線の場合に、ＩＳＤＮ回線を終端する回線終端部９３と、端末装置９１とインタフェースをとる端末側インタフェース部９４とを分離した構成をとり、分離したところにスイッチ９５が配置される。スイッチ９５は、ＩＳＤＮ回線をそのまま端末装置９１に接続するか、あるいはＩＳＤＮ回線に空きチャネルがある場合は、本空きチャネルを切り替えて網終端装置９２内にある制御部９６に接続し、本切り替え接続により制御部９６のメモリに格納したプログラムを変更できるようになっている。これにより、網終端装置９２を設置した後に、遠隔から網終端装置９２の機能を変更することが可能になる（特許文献１）。
【０００５】
しかし、このような網終端装置は、通信線がＩＳＤＮ回線である場合に適用できるものであり、ＮＧＮの光加入者線におけるＵＮＩの構成にはそのまま適用できない。さらに端末装置として家電機器を接続することは想定されていない。
【０００６】
一方、家電機器を接続する装置としてホームゲートウェイ装置がある。ホームゲートウェイ装置は、外部通信部と、内部通信部と、記憶部と、入出力部と、表示部と、制御部とを備え、これらの各部を内部バスを介して接続する構成になっている。
【０００７】
ホームゲートウェイ装置の外部通信部は、モデム、ＴＡ（Terminal Adapter) 、無線ＴＡなどを用いて構成され、ネットワークを経由して他の装置と通信する機能を有している。内部通信部は、ユーザ宅内に構築されるホームネットワーク（ＬＡＮなど）を介して情報家電機器と通信する機能を有している。記憶部は、家電機器を使ったサービスを提供するための複数のサービスプログラムを格納でき、さらに複数のサービスプログラムの間でデータが共用できる機能を有している。これにより、家電機器を使った複数のサービスが提供できるようになり、さらに各サービス問でデータを共有し、データを有効に活用することができる（特許文献２) 。
【０００８】
しかし、ホームゲートウェイ装置の使用に当たっては、先に述べた網終端装置との連続性がないため、通信端末を使っている状況で家電機器のネットワーク化を行おうとすると、導入する家電機器が１台でもそれまで使っていた網終端装置を廃棄して新たにホームゲートウェイ装置を導入することになる。
【発明の概要】
【発明が解決しようとする課題】
【０００９】
上記に述べた従来のＵＮＩの構成技術は、ＮＧＮの光加入者線におけるＵＮＩの構成には適用できないものであった。また、家電機器のネットワーク化を行おうとすると、導入する家電機器が１台であっても、それまで使っていた網終端装置を廃棄し、新たに多くの機能を有する高価なホームゲートウェイ装置を導入しなければならない問題がある。
【００１０】
また、従来のＵＮＩの構成技術において、例えばセンサの検出信号をトリガーとした自動緊急通報システムでは、予め設定された拠点へ通報する構成（固定通知）をとっており、動的に通報先を設定あるいは選択することができなかった。すなわち、宅内に複数種類のセンサとして、例えば火災センサ、防犯用振動センサ、ビデオカメラ等があっても、一律に予め設定した１つの拠点に通報されるのみであった。そのため、通報を受けた拠点において、複数種類のセンサ情報を判別する必要があり、迅速かつ適切な対応をとることが困難になっていた。
【００１１】
本発明は、端末装置の種類や数に合せて柔軟な形態をとることができ、さらに端末装置として通信端末に限らず家電機器も接続可能なＵＮＩを構成する網終端装置を提供することを目的とする。
【課題を解決するための手段】
【００１２】
第１の発明は、ＩＰネットワークと、ＩＰネットワーク上で制御される呼制御プロトコルを処理するＵＮＩ(User Network Interface)を有する第１の端末装置およびＩＰネットワークと接続機能がない既存インタフェースをもつ第２の端末装置とを相互接続する網終端装置において、ＩＰネットワークの光加入者線を終端するＯＮＵと、ＯＮＵを介してＩＰネットワークとの間の信号送受信を制御するＵＮＩ制御部と、第２の端末装置の既存インタフェースとの間の信号送受信を制御する回線制御部と、第２の端末装置をＩＰネットワークに接続するときに回線制御部を介してＵＮＩ制御部に接続する接続処理手段とを含む第１ユニットとを備える。
【００１３】
第２の発明は、ＩＰネットワークと、ＩＰネットワーク上で制御される呼制御プロトコルを処理するＵＮＩ(User Network Interface)を有する第１の端末装置およびＩＰネットワークと接続機能がない既存インタフェースをもつ第２の端末装置とを相互接続する網終端装置において、ＩＰネットワークの光加入者線を終端するＯＮＵと、ＯＮＵを介してＩＰネットワークとの間の信号送受信を制御するＵＮＩ制御部と、第１の端末装置をＩＰネットワークに接続するときにＵＮＩ制御部に接続する接続処理手段とを含む第２ユニットとを備える。
【００１４】
第３の発明は、ＩＰネットワークと、ＩＰネットワーク上で制御される呼制御プロトコルを処理するＵＮＩ(User Network Interface)を有する第１の端末装置およびＩＰネットワークと接続機能がない既存インタフェースをもつ第２の端末装置とを相互接続する網終端装置において、ＩＰネットワークの光加入者線を終端するＯＮＵと、ＯＮＵを介してＩＰネットワークとの間の信号送受信を制御するＵＮＩ制御部と、第１の端末装置をＩＰネットワークに接続するときにＵＮＩ制御部に接続する接続処理手段とを含む第２ユニットと、第２ユニットおよびＯＮＵを介してＩＰネットワークとの間の信号送受信を制御するＵＮＩ制御部と、第２の端末装置の既存インタフェースとの間の信号送受信を制御する回線制御部と、第２の端末装置をＩＰネットワークに接続するときに回線制御部を介してＵＮＩ制御部に接続する接続処理手段とを含む第１ユニットとを備え、第１の端末装置をＩＰネットワークに接続するときは第２のユニットに収容し、第２の端末装置をＩＰネットワークに接続するときは第１のユニットを介して第２のユニットに収容する構成である。
【００１５】
第１の発明または第３の発明の網終端装置において、第１ユニットの回線制御部は、第２の端末装置として家電機器が接続されたときに当該家電機器の機能区分を含む家電機器情報に基づいて当該家電機器の検出情報の通知先の問い合わせを行い、得られた通知先に当該検出情報を送信する機能を含み、第１ユニットは、家電機器情報に基づく問い合わせを受けて、あるいは定期的にＩＰネットワークを介してサービスセンタにアクセスし、家電機器情報に応じた通知先を含む家電機器制御情報を入手して蓄積し、当該家電機器制御情報を回線制御部に応答する家電機器制御手段を備える。
【００１６】
また、家電機器制御手段は、家電機器制御情報として通知先の発呼先ＩＤとともに発呼先の種別およびメディアタイプを蓄積する構成であり、回線制御部は、家電機器の検出情報を発呼先の種別およびメディアタイプに応じた形態で送信する構成としてもよい。
【００１７】
第２の発明または第３の発明の網終端装置において、第２ユニットは、第１の端末装置として家電機器が接続されたときに当該家電機器の機能区分を含む家電機器情報に基づいて当該家電機器の検出情報の通知先の問い合わせを行い、得られた通知先に当該検出情報を送信する機能と、家電機器情報に基づく問い合わせを受けて、あるいは定期的にＩＰネットワークを介してサービスセンタにアクセスし、家電機器情報に応じた通知先を含む家電機器制御情報を入手して蓄積し、問い合わせに対する家電機器制御情報を応答する機能とを含む家電機器制御手段を備える。
【発明の効果】
【００１８】
本発明の網終端装置は、例えばＮＧＮに対応していない既存の端末装置（通信端末、家電機器）を含めて、さまざまな種類や数の端末装置（通信端末、家電機器）をＮＧＮに接続することができ、ＮＧＮが提供する各種のサービスを利用することが可能になる。
【図面の簡単な説明】
【００１９】
【図１】本発明の網終端装置を含むネットワークシステムの構成例を示す図である。
【図２】実施例１における網終端装置３の構成例を示す図である。
【図３】第１ユニット４に非ＮＧＮＵＮＩ端末装置６２として通信端末（アナログ電話機）を接続した場合の動作例を示すシーケンス図である。
【図４】第１ユニット４に非ＮＧＮＵＮＩ端末装置６２として家電機器（センサ）を接続した場合の動作例を示すシーケンス図である。
【図５】第１ユニット４に非ＮＧＮＵＮＩ端末装置６２として家電機器（センサ）を接続した場合の他の動作例を示すシーケンス図である。
【図６】発呼先情報データベースの例を示す図である。
【図７】実施例２における網終端装置３の構成例を示す図である。
【図８】第２ユニット５にＮＧＮＵＮＩ端末装置６１ａとして通信端末（次世代電話機）を接続した場合の動作例を示すシーケンス図である。
【図９】第２ユニット５にＮＧＮＵＮＩ端末装置６１ａとして家電機器（センサ）を接続した場合の動作例１を示すシーケンス図である。
【図１０】第２ユニット５にＮＧＮＵＮＩ端末装置６１ａとして家電機器（センサ）を接続した場合の動作例２を示すシーケンス図である。
【図１１】実施例３における網終端装置３の構成例を示す図である。
【図１２】第１ユニット４ａに非ＮＧＮＵＮＩ端末装置６２ａとして通信端末（アナログ電話機）を接続した場合の動作例を示すシーケンス図である。
【図１３】第１ユニット４ａに非ＮＧＮＵＮＩ端末装置６２ａとして家電機器（センサ）を接続した場合の動作例１を示すシーケンス図である。
【図１４】第１ユニット４ａに非ＮＧＮＵＮＩ端末装置６２ａとして家電機器（センサ）を接続した場合の動作例２を示すシーケンス図である。
【図１５】従来の網終端装置を含むネットワークシステムの構成例を示す図である。
【発明を実施するための形態】
【００２０】
本発明の網終端装置の実施例では、ＮＧＮ光加入者線を終端するＯＮＵ（Optical Network Unit）と、各種インタフェースを持つ複数の端末装置とを接続するために、一端がＮＧＮ光加入者線のＵＮＩ（以下「ＮＧＮＵＮＩ」という）であり他端が既存インタフェース（以下「非ＮＧＮＵＮＩ」という）であるユニット（以下「第１ユニット」という) 、あるいは両端がＮＧＮＵＮＩであるユニット（以下「第２ユニット」という）のいずれか１つ、あるいは両方のユニットを組み合わせて構成する。また、第１ユニットは、新たに家電機器を導入する場合にその都度、家電機器のサービスについて管理するサービスセンタに問い合わせて家電機器制御情報を入手する機能をもつ。
【００２１】
図１は、 本発明の網終端装置を含むネットワークシステムの構成例を示す。
図において、本ネットワークシステムは、ＮＧＮ１に光加入者線を介して網終端装置３が接続され、またサービスセンタ２が接続される構成である。網終端装置３は、ＮＧＮ１の光加入者線に接続されるＯＮＵ３１に第１ユニット４および（または）第２ユニット５が接続される構成であり、各種インタフェース（ＮＧＮＵＮＩあるいは非ＮＧＮＵＮＩ）を持った端末装置（通信端末および家電機器) ６をそれぞれ接続することができる。また、新たに家電機器を導入する場合にその都度、ＮＧＮ１を介してサービスセンタ２から家電機器制御情報を入手することにより当該家電機器の制御も可能にしている。
【実施例１】
【００２２】
実施例１では、１台の非ＮＧＮＵＮＩ端末装置（通信端末または家電機器）６２をＮＧＮ１に接続するために、ＮＧＮ光加入者線のＯＮＵ３１に第１ユニット４を接続する網終端装置３について説明する。
【００２３】
図２は、実施例１における網終端装置３の構成例を示す。ここでは、網終端装置３の機能のうち本発明に関係する部分のみを概念的に示す。
図において、網終端装置３は、ＯＮＵ３１と、ＵＮＩ３２と、第１ユニット４とを備える。ＯＮＵ３１は、ＮＧＮ光加入者線のレイヤ１機能（ＮＧＮ１側のコネクタ等）を有する。ＵＮＩ３２は、ＮＧＮ光加入者線ユーザ・網インタフェース規定点を示す。
【００２４】
第１ユニット４は、主制御部４１と、ＵＮＩ制御部４２と、ＮＡＰＴ（Network Address and Port Translation）部４３と、スイッチ部４４と、本発明の特徴である回線制御部４５と、 本発明の特徴である家電機器制御部４６とを有している。 以下に各部について説明する。
【００２５】
主制御部４１は、第１ユニット４全体を制御する機能を有する。ＵＮＩ制御部４２は、ＵＮＩ３２を介してＮＧＮ１との間で行われるＳＩＰ信号および各種メディアの送受信を制御する機能を有する。ＮＡＰＴ部４３は、非ＮＧＮＵＮＩ端末装置６２側のPrivate ＩＰアドレスおよびポート番号を、ＮＧＮのGlobalＩＰアドレスおよびポート番号に変換する機能を有する。スイッチ部４４は、ＩＰパケットを宛先ＩＰアドレスに基づき転送する機能を有し、ＵＮＩ制御部４２、回線制御部４５および家電機器制御部４６問の接続を行う。
【００２６】
本発明の特徴である回線制御部４５は、回線対応部４５１と、信号処理部４５２と、メディア処理部４５３と、家電機器処理部４５４とを有する。回線対応部４５１は、既存インタフェース（非ＮＧＮＵＮＩ）とのインタフェースをとる機能を有する。信号処理部４５２は、回線対応部４５１から伝えられた信号をパケット化してＵＮＩ制御部４２に送信する機能、およびＵＮＩ制御部４２から送られてきたパケット化された信号を受信し、既存インタフェース（非ＮＧＮＵＮＩ）に合わせた信号に戻し回線対応部４５１に伝える機能を有する。メディア処理部４５３は、回線対応部４５１から伝えられたメディア信号をパケット化してＵＮＩ制御部４２に送信する機能、およびＵＮＩ制御部４２から送られてきたパケット化されたメディア信号を受信し、既存インタフェース（非ＮＧＮＵＮＩ）に合わせたメディア信号に戻して回線対応部４５１に伝える機能を有する。
【００２７】
家電機器処理部４５４は、非ＮＧＮＵＮＩ端末装置６２として家電機器が接続された場合に機能するものであり、 家電機器制御部４６に非ＮＧＮＵＮＩ端末装置６２の機能区分（例えば、センサ、カメラ等）を含む家電機器情報を送出する機能、家電機器が作動した場合の制御について（例えば、センサが異常を検出した場合に異常をどこに通知するか）家電機器制御部４６に問い合わせ、問い合わせ結果（回答）に基づき制御する（例えば、知らされた通知先に異常を通知する）機能を有する。
【００２８】
本発明の特徴である家電機器制御部４６は、非ＮＧＮＵＮＩ端末装置６２として家電機器が接続された場合に機能するものであり、家電機器情報入手部４６１と、家電機器制御情報入手・蓄積部４６２と、家電機器指示部４６３とを有する。
【００２９】
家電機器情報入手部４６１は、回線制御部４５の家電機器処理部４５４から送信されてくる家電機器情報を受信する機能を有する。なお、家電機器情報入手部４６１はユーザが手動で家電機器の区分等を設定することを許容する。家電機器制御情報入手・蓄積部４６２は、家電機器情報入手部４６１が家電機器情報を入手したことにより、あるいは定期的にサービスセンタ２にアクセスして家電機器情報を送信し、家電機器のサービス（例えば、センサを使ったセキュリティサービス）をユーザに提供するために家電機器をどのように制御するか（例えば、センサが異常を検出した場合に異常をどこに通知するか）を示した家電機器制御情報を入手し、蓄積する機能を有する。家電機器指示部４６３は、回線制御部４５の家電機器処理部４５４から家電機器が作動した場合の制御について問い合わせがあると、家電機器制御情報入手・蓄積部４６２に蓄積された家電機器制御情報を検索して回答する機能を有する。
【００３０】
次に、実施例１における網終端装置３の動作について説明する。まず、非ＮＧＮＵＮＩ端末装置６２として通信端末（アナログ電話機）を接続したときの動作について説明し、次に家電機器（センサ）を接続したときの動作について説明する。
【００３１】
（非ＮＧＮＵＮＩ端末装置６２として通信端末を接続したときの動作）
図３は、図２における第１ユニット４に、非ＮＧＮＵＮＩ端末装置６２として通信端末（アナログ電話機）を接続した場合の動作例を示す。
【００３２】
図３において、非ＮＧＮＵＮＩ端末装置６２（アナログ電話機）が、オフフックしてダイヤルすると（ステップＡ１）、回線制御部４５の回線対応部４５１がオフフックおよびダイヤル信号を受信し、 受信したダイヤル信号を信号処理部４５２に伝える。信号処理部４５２は、パケット化したダイヤル信号を送信し（ステップＡ２) 、スイッチ部４４およびＮＡＰＴ部４３を介してＵＮＩ制御部４２がダイヤル信号を受信すると、ＩＮＶＩＴＥ信号をＮＧＮ１に送信する（ステップＡ３) 。ＮＧＮ１から180Ringing信号が返信されると（ステップＡ４) 、ＵＮＩ制御部４２は180Ringing信号を受信し、呼出音の送信を知らせる呼出音信号を送信する（ステップＡ５）。回線制御部４５の信号処理部４５２が呼出音信号を受信すると、呼出音信号を受け取ったことを回線対応部４５１に伝え、回線対応部４５１が呼出音を非ＮＧＮＵＮＩ端末装置６２（アナログ電話機）に送信する（ステップＡ６) 。
【００３３】
ＮＧＮ１が 200ＯＫ信号(1) (200ＯＫ信号にはこの後に出てくる他の 200ＯＫ信号と区別するために(1) を付している。以下同様）を送信すると（ステップＡ７) 、ＵＮＩ制御部４２が 200ＯＫ信号(1) を受信して応答を知らせる応答信号を送信する（ステップＡ８) 。回線制御部４５の信号処理部４５２は応答信号を受信し、応答信号を受信したことを回線制御部４５の回線対応部４５１に伝え、回線対応部４５１が非ＮＧＮＵＮＩ端末装置６２（アナログ電話機）に応答（リバース）を送信する（ステップＡ９) 。なお、ＵＮＩ制御部４２は、 200ＯＫ信号(1) を受信したことにより、ＡＣＫ信号をＮＧＮ１に送信する（ステップＡ10) 。
【００３４】
これにより、非ＮＧＮＵＮＩ端末装置６２（アナログ電話機）とＮＧＮ１に接続された通信端末（図示せず）とは通話ができる状態になり、非ＮＧＮＵＮＩ端末装置６２（アナログ電話機）から送信された音声信号は回線制御部４５の回線対応部４５１を介してメディア処理部４５３に伝えられる。メディア処理部４５３はパケット化した音声信号を送信し、ＵＮＩ制御部４２が音声信号を受信してＮＧＮ１に送信する（ステップＡ11) 。
【００３５】
終話により非ＮＧＮＵＮＩ端末装置６２（アナログ電話機）が切断信号（オンフック）を送信すると（ステップＡ12）、回線制御部４５の回線対応部４５１がオンフックを受信し、受信したオンフックを信号処理部４５２に伝え、信号処理部４５２がパケット化したオンフック信号を送信する（ステップＡ13) 。ＵＮＩ制御部４２はオンフック信号を受信すると、 ＢＹＥ信号をＮＧＮ１に送信する（ステップＡ14）。ＮＧＮ１が 200ＯＫ信号(2) を送信すると（ステップＡ15) 、ＵＮＩ制御部４２が受信する。これにより一連の動作が終了する。
【００３６】
（非ＮＧＮＵＮＩ端末装置６２として家電機器を接続したときの動作）
図４は、図２における第１ユニット４に、非ＮＧＮＵＮＩ端末装置６２として家電機器（センサ）を接続した場合の動作例を示す。ここでは、回線制御部４５の家電機器処理部４５４が家電機器の機能区分（センサ）を含む家電機器情報を送出するものとする。
【００３７】
はじめに、非ＮＧＮＵＮＩ端末装置６２（センサ）が作動したとき、非ＮＧＮＵＮＩ端末装置６２を制御する家電機器制御情報（例えば、センサが異常を検出した場合に、異常をどこに通知するか）の入手に伴う動作について説明する。
【００３８】
図４において、第１ユニット４に、非ＮＧＮＵＮＩ端末装置６２（センサ）が接続されたことにより、回線制御部４５の家電機器処理部４５４が家電機器情報を送信すると（ステップＢ１) 、家電機器制御部４６の家電機器情報入手部４６１が家電機器情報を受信し、受信した家電機器情報を家電機器制御情報入手・ 蓄積部４６２に伝える。家電機器制御情報入手・蓄積部４６２は家電機器制御情報を入手するために、サービスセンタ２に接続するためのダイヤル信号(1) を送信し（ステップＢ２) 、ＵＮＩ制御部４２がダイヤル信号(1) を受信すると、ＩＮＶＩＴＥ信号(1) をサービスセンタ２に送信する（ステップＢ３) 。サービスセンタ２はＩＮＶＩＴＥ信号(1) を受信して 200ＯＫ信号(1) を返信すると（ステップＢ４) 、ＵＮＩ制御部４２が 200ＯＫ信号(1) を受信して応答信号(1) を送信し（ステップＢ５) 、家電機器制御部４６の家電機器制御情報入手・蓄積部４６２が応答信号(1) を受信する。なおＵＮＩ制御部４２は、 200ＯＫ信号(1) を受信したことにより、ＡＣＫ信号(1) をサービスセンタ２に送信する（ステップＢ６) 。
【００３９】
これにより、家電機器制御部４６の家電機器制御情報入手・蓄積部４６２は、サービスセンタ２との間で通信できる状態になり、家電機器情報を送信すると、サービスセンタ２が受信した家電機器情報に対する家電機器制御情報を返送し（ステップＢ７) 、家電機器制御情報入手・蓄積部４６２が家電機器制御情報を受信して蓄積する。
【００４０】
なお、家電機器制御情報は、ユーザが予めサービスセンタ２に家電機器のサービスの申し込みを行っているものとする。ここでは、センサを使ったセキュリティサービスの申し込みを行っており、通知先の申し込みがなされているものとする。
【００４１】
家電機器制御部４６の家電機器制御情報入手・蓄積部４６２は、家電機器制御情報を受信し、蓄積したことによりオンフック信号(1) を送信する（ステップＢ８) 。ＵＮＩ制御部４２がオンフック信号(1) を受信してＢＹＥ信号(1) を送信すると（ステップＢ９) 、サービスセンタ２がＢＹＥ信号(1) を受信し、 200ＯＫ信号(2) をＵＮＩ制御部４２に送信する（ステップＢ10) 。
【００４２】
次に、非ＮＧＮＵＮＩ端末装置６２（センサ）の作動に対応する動作について説明する。
図４において、非ＮＧＮＵＮＩ端末装置６２（センサ）が作動して例えば異常を検出すると（ステップＢ11）、例えば異常内容を示す検出データを送信する（ステップＢ12) 。回線制御部４５の回線対応部４５１が検出データを受信すると、受信した検出データを家電機器処理部４５４に伝え、家電機器処理部４５４が検出データを受け取り、非ＮＧＮＵＮＩ端末装置６２（センサ）が作動した場合の制御についての問い合わせを送信する（ステップＢ１３) 。家電機器制御部４６の家電機器指示部４６３は問い合わせを受信し、家電機器制御情報入手・蓄積部４６２に蓄積された家電機器制御情報を検索し、例えばセンサが異常を検出した場合に異常をどこに通知するかなどの回答を送信する（ステップＢ14) 。回線制御部４５の家電機器処理部４５４が回答を受信すると、回答に基づいた制御として、例えばＮＧＮ１に接続された通知先の端末装置（図示せず）に検出した異常の内容を通知するために、通知先の端末装置に接続するためのダイヤル信号(2) を送信する（ステップＢ15）。ＵＮＩ制御部４２がダイヤル信号(2) を受信すると、ＩＮＶＩＴＥ信号(2) をＮＧＮ１に送信する（ステップＢ16) 。ＮＧＮ１が 200ＯＫ信号(3) を返信すると（ステップＢ17) 、ＵＮＩ制御部４２が 200ＯＫ信号(3) を受信し、応答信号(2) を送信し（ステップＢ18) 、回線制御部の家電機器処理部４５４が応答信号(2) を受信する。なお、ＵＮＩ制御部４２は、 200ＯＫ信号(3) を受信したことにより、ＡＣＫ信号(2) を通知先の端末装置に送信する（ステップＢ19) 。
【００４３】
これにより、回線制御部４５の家電機器処理部４５４は、通知先の端末装置との間で通信ができる状態になり、検出データを送信する（ステップＢ20) 。
【００４４】
回線制御部４５の家電機器処理部４５４は、検出データの送信が終了したことにより、オンフック信号(2) を送信する（ステップＢ21）。ＵＮＩ制御部４２がオンフック信号(2) を受信すると、ＢＹＥ信号(2) をＮＧＮ１に送信する（ステップＢ22) 。ＮＧＮ１がＢＹＥ信号(2) を受信すると、 200ＯＫ信号(4) をＵＮＩ制御部４２に送信する（ステップＢ23) 。これにより一連の動作が終了する。
【００４５】
このように実施例１では、ＮＧＮ光加入者線のＯＮＵ３１に、一端がＮＧＮＵＮＩであり他端が既存インタフェース（非ＮＧＮＵＮＩ）である第１ユニット４を接続することにより、非ＮＧＮＵＮＩ端末装置６２である通信端末（アナログ電話機）または家電機器（センサ）をＮＧＮ１に接続することが可能になる。
【００４６】
図５は、図２における第１ユニット４に、非ＮＧＮＵＮＩ端末装置６２として家電機器（防犯センサ）を接続した場合の動作例を示す。
ここでは、非ＮＧＮＵＮＩ端末装置６２（防犯センサ）が作動し、「振動」を示す検出データが出力された場合に、メディアサーバ（音声ガイダンス）による通報動作について説明する。なお、第１ユニット４の家電機器制御部４６の家電機器制御情報入手・蓄積部４６２に、図６に示す発呼先情報データベース（ＤＢ）が形成されるものとする。
【００４７】
図５において、非ＮＧＮＵＮＩ端末装置６２（防犯センサ）が作動して「振動」を検出すると（ステップＢ11）、振動を示す検出データを送信する（ステップＢ12) 。回線制御部４５の回線対応部４５１が検出データを受信すると、受信した検出データを家電機器処理部４５４に伝え、家電機器処理部４５４が検出データを受け取り、非ＮＧＮＵＮＩ端末装置６２（防犯センサ）が作動した場合の制御についての問い合わせを送信する（ステップＢ１３) 。家電機器制御部４６の家電機器指示部４６３は問い合わせを受信し、家電機器制御情報入手・蓄積部４６２の発呼先情報データベース（ＤＢ）を検索し、センサが振動を検出した場合の発呼先ＩＤ、発呼先種別、メディアタイプなどの回答を送信する（ステップＢ14) 。回線制御部４５の家電機器処理部４５４が回答を受信すると、回答に基づいてＮＧＮ１に接続された発呼先のユーザ端末に検出した情報を通知するために、通知先の端末装置に接続するためのダイヤル信号(2) を送信する（ステップＢ15）。
【００４８】
ＵＮＩ制御部４２がダイヤル信号(2) を受信すると、ＩＮＶＩＴＥ信号(2) をＮＧＮ１（ユーザ端末）に送信する（ステップＢ16) 。このＩＮＶＩＴＥメッセージに含まれるメディアタイプは音声（Voice)とする。ユーザ端末が 200ＯＫ信号(3) を返信すると（ステップＢ17) 、ＵＮＩ制御部４２が 200ＯＫ信号(3) を受信し、応答信号(2) を送信し（ステップＢ18) 、回線制御部の家電機器処理部４５４が応答信号(2) を受信する。なお、ＵＮＩ制御部４２は、 200ＯＫ信号(3) を受信したことにより、ＡＣＫ信号(2) を通知先のユーザ端末に送信する（ステップＢ19) 。
【００４９】
これにより、回線制御部４５の家電機器処理部４５４は、通知先のユーザ端末との間で通信ができる状態になる（ステップＢ20) 。これに伴い、回線制御部４５の家電機器処理部４５４は、メディアサーバＭＳに対してメディア送出開始指示を行い（ステップＢ24）、メディアサーバＭＳは音声ガイダンスにより防犯センサが作動したことをユーザ端末に通知する（ステップＢ25）。これにより、ユーザは音声ガイダンスにより状況を確認し、通話を切断するためにＢＹＥ信号(2) をＵＮＩ制御部４２に送信する（ステップＢ26) 。ＵＮＩ制御部４２がＢＹＥ信号(2) を受信すると、切断信号を回線制御部４５に送信し（ステップＢ27）、回線制御部４５が切断信号を受信してメディアサーバＭＳにメディア送出終了指示を行う（ステップＳ28）。一方、ＵＮＩ制御部４２は、ＢＹＥ信号(2) を受信して 200ＯＫ信号(4) をユーザ端末に送信する（ステップＢ29) 。
【００５０】
これにより一連の動作が終了する。なお、回線制御部４５は、例えばユーザ端末と接続している携帯電話等の電波の受信状態が悪いときに通信断となった場合には、不完了呼として再発呼処理を行う。
【実施例２】
【００５１】
実施例２では、１〜複数台のＮＧＮＵＮＩ端末装置（通信端末または家電機器）６１をＮＧＮ１に接続するために、ＮＧＮ光加入者線のＯＮＵ３１に両端がＮＧＮＵＮＩである第２ユニット５を接続する網終端装置３について説明する。ここでは、構成を簡単にするために、２台のＮＧＮＵＮＩ端末装置（通信端末または家電機器）６１ａ，６１ｂを接続するものとする。
【００５２】
実施例１との違いは、ＮＧＮ光加入者線のＯＮＵ３１に第２ユニット５を接続し、第２ユニット５の配下のＮＧＮＵＮＩ端末装置６１ａ，６１ｂとの接続にＳＩＰ信号を用いるところにある。なお、実施例１と同一または同等の機能要素については、同一の符号を付して詳細な説明は省略する。
【００５３】
図７は、実施例２における網終端装置３の構成例を示す。ここでは、網終端装置３の機能のうち本発明に関係する部分のみを概念的に示す。
図７において、網終端装置３は、ＯＮＵ３１と、ＵＮＩ３２と、ＵＮＩ３３ａと、ＵＮＩ３３ｂと、第２ユニット５とを備える。ＯＮＵ３１は、ＮＧＮ光加入者線のレイヤ１機能（ＮＧＮ１側のコネクタ等）を有する。ＵＮＩ３２、ＵＮＩ３３ａ、ＵＮＩ３３ｂは、ＮＧＮ光加入者線ユーザ・網インタフェース規定点を示す。
【００５４】
第２ユニット５は、主制御部５１と、ＵＮＩ制御部５２と、ＮＡＰＴ部５３と、スイッチ部５４と、本発明の特徴である家電機器制御部５５とを有している。以下に各部について説明する。
【００５５】
主制御部５１は、第２ユニット５全体を制御する機能を有する。ＵＮＩ制御部５２は、ＵＮＩ３２を介してＮＧＮ１との間、ＵＮＩ３３ａ，３３ｂを介してＮＧＮＵＮＩ端末装置６１ａ〜６１ｂとの間で行われるＳＩＰ信号および各種メディアの送受信を制御する機能を有する。ＮＡＰＴ部５３は、ＮＧＮＵＮＩ端末装置６１ａ〜６１ｂ側のPrivate ＩＰアドレスおよびポート番号を、ＮＧＮのGlobalＩＰアドレスおよびポート番号に変換する機能を有する。スイッチ部５４は、ＩＰパケットを宛先ＩＰアドレスに基づき転送する機能を有し、ＵＮＩ制御部５２、ＮＧＮＵＮＩ端末装置６１ａ〜６１ｂおよび家電機器制御部５５間の接続を行う。
【００５６】
本発明の特徴である家電機器制御部５５は、ＵＮＩ対応部５５１と、家電機器情報入手部４６１と、家電機器制御情報入手・蓄積部４６２と、家電機器指示部４６３とを有する。ＵＮＩ対応部５５１は、ＵＮＩ制御部５２、ＮＧＮＵＮＩ端末装置６１ａ〜６１ｂとの間で行われるＳＩＰ信号および各種メディア信号の送受信を制御する機能を有する。これにより、家電機器制御部５５は、ＵＮＩ制御部５２、ＮＧＮＵＮＩ端末装置６１ａ〜６１ｂとの接続をＳＩＰ信号により行うことができる。
【００５７】
次に、実施例２における網終端装置３の動作について説明する。まず、ＮＧＮＵＮＩ端末装置６１ａとして通信端末（次世代電話機）を接続したときの動作について説明し、次にＮＧＮＵＮＩ端末装置６１ａとして家電機器（センサ）を接続したときの動作について説明する。
【００５８】
（ＮＧＮＵＮＩ端末装置６１ａとして通信端末を接続したときの動作）
図８は、図７における第２ユニット５に、ＮＧＮＵＮＩ端末装置６１ａとして通信端末（次世代電話機）を接続した場合の動作例を示す。
【００５９】
図８において、ＮＧＮＵＮＩ端末装置６１ａ（次世代電話機）が、ＩＮＶＩＴＥ(1) 信号を送信すると（ステップＣｌ）、スイッチ部５４およびＮＡＰＴ部５３を介してＵＮＩ制御部５２がＩＮＶＩＴＥ(1) 信号を受信し、ＩＮＶＩＴＥ(2) 信号をＮＧＮ１に送信する（ステップＣ２) 。ＮＧＮ１が180Ringing信号(1) を返信すると（ステップＣ３) 、ＵＮＩ制御部５２が180Ringing信号(1) を受信し、180Ringing信号(2) をＮＧＮＵＮＩ端末装置６１ａ（次世代電話機）に送信する（ステップＣ４) 。ＮＧＮ１が 200ＯＫ信号(1) を送信すると（ステップＣ５）、ＵＮＩ制御部５２が 200ＯＫ信号(1) を受信し、 200ＯＫ信号(2) を送信する（ステップＣ６）。ＮＧＮＵＮＩ端末装置６１ａ（次世代電話機）が 200ＯＫ信号(2) を受信すると、ＡＣＫ信号(1) を送信する（ステップＣ７) 。ＵＮＩ制御部５２がＡＣＫ信号(1) を受信すると、ＡＣＫ信号(2) をＮＧＮ１に送信する（ステップＣ８) 。
【００６０】
これにより、ＮＧＮＵＮＩ端末装置６１ａ（次世代電話機）とＮＧＮ１に接続された通信端末（図示せず）とは通話できるようになる（ステップＣ９) 。
終話によりＮＧＮＵＮＩ端末装置６１ａ（次世代電話機）がＢＹＥ信号(1) を送信すると（ステップＣ10) 、ＵＮＩ制御部５２がＢＹＥ信号(1) を受信し、ＢＹＥ信号(2) をＮＧＮ１に送信する（ステップＣ11) 。ＮＧＮ１がＢＹＥ信号(2) を受信してＡＣＫ信号(3) を返信すると（ステップＣ12) 、ＵＮＩ制御部５２が 200ＯＫ信号(3) を受信し、 200ＯＫ信号(4) をＮＧＮＵＮＩ端末装置６１ａ（次世代電話機）に送信する（ステップＣ13) 。これにより一連の動作が終了する。
【００６１】
（ＮＧＮＵＮＩ端末装置６１ａとして家電機器を接続したときの動作）
図９および図１０は、図７における第２ユニット５に、ＮＧＮＵＮＩ端末装置６１ａとして家電機器（センサ）を接続した場合の動作例を示す。ここでは、ＮＧＮＵＮＩ端末装置６１ａが家電機器の機能区分（センサ）を含む家電機器情報を送出するものとする。
【００６２】
はじめに、ＮＧＮＵＮＩ端末装置６１ａ（センサ）が作動したとき、ＮＧＮＵＮＩ端末装置６１ａ（センサ）を制御する家電機器制御情報（例えば、センサが異常を検出した場合に、異常をどこに通知するか）の入手に伴う動作について説明する。
【００６３】
図９において、ＮＧＮＵＮＩ端末装置６１ａ（センサ）が家電機器情報を送信するために、家電機器制御部５５との間にセッションを張るためのＩＮＶＩＴＥ信号(1) を送信すると（ステップＤ１）、家電機器制御部５５のＵＮＩ対応部５５１がＩＮＶＩＴＥ信号(1) を受信し、 200ＯＫ信号(1) を送信する（ステップＤ２) 。ＮＧＮＵＮＩ端末装置６１ａ（センサ）が 200ＯＫ信号(1) を受信すると、ＡＣＫ信号(1) を家電機器制御部５５に送信する（ステップＤ３) 。
【００６４】
これにより、ＮＧＮＵＮＩ端末装置６１ａ（センサ）と家電機器制御部５５とは通信ができる状態になり、ＮＧＮＵＮＩ端末装置６１ａ（センサ）が家電機器情報を送信すると、 家電機器制御部５５の家電機器情報入手部４６１が家電機器情報を受信し、受信した家電機器情報を家電機器制御情報入手・蓄積部４６２に伝える（ステップＤ４) 。
【００６５】
ＮＧＮＵＮＩ端末装置６１ａ（センサ）が、家電機器情報の送信が終了したことにより、ＢＹＥ信号(1) を送信すると（ステップＤ５) 、家電機器制御部５５のＵＮＩ対応部５５１がＢＹＥ信号(1) を受信し、 200ＯＫ信号(2) をＮＧＮＵＮＩ端末装置６１ａ（センサ）に送信する（ステップＤ６) 。
【００６６】
ステップＤ４において、家電機器情報が家電機器制御情報入手・蓄積部４６２に伝えられると、家電機器制御情報入手・ 蓄積部４６２が家電機器制御情報を入手するために、ＵＮＩ対応部５５１がサービスセンタ２に接続するためのＩＮＶＩＴＥ信号(2) を送信する（ステップＤ７) 。ＵＮＩ制御部５２がＩＮＶＩＴＥ信号(2) を受信すると、ＩＮＶＩＴＥ信号(3) をサービスセンタ２に送信する（ステップＤ８) 。サービスセンタ２がＩＮＶＩＴＥ信号(3) を受信すると 200ＯＫ信号(3) を送信する（ステップＤ９) 。ＵＮＩ制御部５２が 200ＯＫ信号(3) を受信して 200ＯＫ信号(4) を送信すると（ステップＤ10) 、家電機器制御部５５のＵＮＩ対応部５５１が 200ＯＫ信号(4) を受信してＡＣＫ信号(2) を送信すると（ステップＤ11）、ＵＮＩ制御部５２がＡＣＫ信号(2) を受信し、サービスセンタ２にＡＣＫ信号(3) 送信する（ステップＤ12) 。
【００６７】
これにより、家電機器制御部５５の家電機器制御情報入手・蓄積部４６２は、サービスセンタ２との間で通信できる状態になる。家電機器制御情報入手・蓄積部４６２が家電機器情報を送信すると、サービスセンタ２が家電機器情報に対する家電機器制御情報を返送し、家電機器制御情報入手・蓄積部４６２が家電機器制御情報を受信して蓄積する（ステップＤ13) 。
【００６８】
なお、家電機器制御情報は、ユーザが予めサービスセンタ２に家電機器のサービスの申し込みを行っているものとする。ここでは、センサを使ったセキュリティサービスの申し込みを行っており、通知先の申し込みがなされているものとする。
【００６９】
家電機器制御部４６の家電機器制御情報入手・蓄積部４６２が、家電機器制御情報を受信したことによりＵＮＩ対応部５５１がＢＹＥ信号(2) を送信すると（ステップＤ14) 、ＵＮＩ制御部４２がＢＹＥ信号(2) を受信し、ＢＹＥ信号(3) を送信する（ステップＤ15) 。サービスセンタ２がＢＹＥ信号(3) を受信して 200ＯＫ信号(5) を送信すると（ステップＤ16) 、ＵＮＩ制御部５２が 200ＯＫ信号(5) を受信して 200ＯＫ信号(6) を家電機器制御部５５に送信する（ステップＤ17) 。
【００７０】
次に、ＮＧＮＵＮＩ端末装置６１ａ（センサ）の作動に対応する動作について説明する。
図１０において、ＮＧＮＵＮＩ端末装置６１ａ（センサ）が作動して例えば異常を検出すると（ステップＤ18) 、家電機器（センサ）が作動した場合の制御についての問い合わせを家電機器制御部５５にするためにＩＮＶＩＴＥ信号(4) を送信する（ステップＤ19）。家電機器制御部５５のＵＮＩ対応部５５１がＩＮＶＩＴＥ信号(4) を受信すると 200ＯＫ信号(7) を送信する（ステップＤ20) 。ＮＧＮＵＮＩ端末装置６１ａ（センサ）が 200ＯＫ信号(7) を受信すると、ＡＣＫ信号(4) を家電機器制御部５５のＵＮＩ対応部５５１に送信する（ステップＤ21) 。
【００７１】
これにより、ＮＧＮＵＮＩ端末装置６１ａ（センサ）と家電機器制御部５５の家電機器指示部４６３との間で通信ができる状態になり、ＮＧＮＵＮＩ端末装置６１ａ（センサ）が問い合わせると家電機器制御部５５の家電機器指示部４６が例えばセンサが異常を検出した場合に異常をどこに通知するかなどの回答を送信する（ステップＤ22) 。
【００７２】
ＮＧＮＵＮＩ端末装置６１ａ（センサ）は回答を受信してＢＹＥ信号(4) を送信すると（ステップＤ23) 、家電機器制御部５５のＵＮＩ対応部５５１がＢＹＥ信号(4) を受信し、 200ＯＫ信号(8) をＮＧＮＵＮＩ端末装置６１ａ（センサ）に送信する（ステップＤ24) 。
【００７３】
続いて、ＮＧＮＵＮＩ端末装置６１ａ（センサ）が、ＮＧＮ１に接続された通知先の端末装置（図示せず）に検出データを通知するために、通知先の端末装置に接続するためのＩＮＶＩＴＥ信号(5) を送信する（ステップＤ25）。ＵＮＩ制御部５２がＩＮＶＩＴＥ信号(5) を受信すると、ＩＮＶＩＴＥ信号(6) をＮＧＮ１に送信する（ステップＤ26) 。ＮＧＮ１が 200ＯＫ信号(9) を送信すると（ステップＤ27) 、ＵＮＩ制御部５２が 200ＯＫ信号(9) を受信して 200ＯＫ信号(10)を送信する（ステップＤ28) 。ＮＧＮＵＮＩ端末装置６１ａ（センサ）が 200ＯＫ信号(10)を受信してＡＣＫ信号(5) を送信すると（ステップＤ29) 、ＵＮＩ制御部５２がＡＣＫ信号(5) を受信し、ＡＣＫ信号(6) を通知先の端末装置に送信する（ステップＤ30) 。
【００７４】
これにより、ＮＧＮＵＮＩ端末装置６１ａ（センサ）と通知先の端末装置とは通信ができる状態になり、ＮＧＮＵＮＩ端末装置６１ａ（センサ）が、検出データを通知先の端末装置に送信する（ステップＤ31) 。
【００７５】
ＮＧＮＵＮＩ端末装置６１ａ（センサ）は検出データを送信したことにより、ＢＹＥ信号(5) を送信すると（ステップＤ32) 、ＵＮＩ制御部５２がＢＹＥ信号(5) を受信し、ＢＹＥ信号(6) をＮＧＮ１に送信する（ステップＤ33) 。ＮＧＮ１から 200ＯＫ信号(11)が送信されると（ステップＤ34) 、ＵＮＩ制御部５２が 200ＯＫ信号(11)）を受信し、 200ＯＫ信号(12)をＮＧＮＵＮＩ端末装置６１ａ（センサ）に送信する（ステップＤ35) 。これにより一連の動作が終了する。
【００７６】
このように実施例２では、ＮＧＮ光加入者線のＯＮＵ３１に、両端がＮＧＮＵＮＩである第２ユニット５を接続することにより、１〜複数台のＮＧＮＵＮＩ端末装置６１である通信端末（次世代電話機）または家電機器（センサ）をＮＧＮ１に接続することが可能になる。
【実施例３】
【００７７】
実施例３は、ＮＧＮ光加入者線のＯＮＵ３１に実施例２で示した第２ユニット５を接続し、さらに第２ユニット５の配下に実施例１で示した第１ユニット４を接続することにより、１〜複数台の非ＮＧＮＵＮＩ端末装置６２（通信端末または家電機器）と、１〜複数台のＮＧＮＵＮＩ端末装置６１（通信端末または家電機器）をそれぞれＮＧＮ１に接続可能にするものである。ここでは、構成を簡単にするために、２台の非ＮＧＮＵＮＩ端末装置（通信端末または家電機器）６２ａ，６２ｂと、２台のＮＧＮＵＮＩ端末装置（通信端末または家電機器）６１ａ，６１ｂを接続するものとする。
【００７８】
実施例１および実施例２との違いは、ＮＧＮ光加入者線のＯＮＵ３１に第２ユニット５を接続し、その配下に第１ユニット４を接続することにあり、ユニット間はＳＩＰ信号により接続し、全ての信号、メディアは第２ユニット５を経由するところにある。なお、実施例１および実施例２と同一または同等の機能要素については、同一の符号を付して詳細な説明は省略する。
【００７９】
図１１は、実施例３における網終端装置３の構成例を示す。ここでは、網終端装置３の機能のうち本発明に関係する部分のみを概念的に示す。
図１１において、網終端装置３は、ＯＮＵ３１と、ＵＮＩ３２と、第１ユニット４ａと、第１ユニット４ｂと、第２ユニット５とを備える。ここでは、２台の非ＮＧＮＵＮＩ端末装置（通信端末または家電機器）６２ａ，６２ｂを接続するために２つの第１ユニット４ａ，４ｂを対応させているが、非ＮＧＮＵＮＩ端末装置の数に対応して設置される。
【００８０】
ＯＮＵ３１は、ＮＧＮ光加入者線のレイヤ１機能（ＮＧＮ１側のコネクタ等）を有する。ＵＮＩ３２は、ＮＧＮ光加入者線ユーザ・網インタフェース規定点を示す。
第１ユニット４ａ，４ｂは実施例１と同様の構成であり、第２ユニット５は実施例２と同様の構成であり、それぞれの内部構成については省略する。
【００８１】
次に、実施例３における網終端装置３の動作について説明する。まず、非ＮＧＮＵＮＩ端末装置６２ａとして通信端末（アナログ電話機）を接続したときの動作について説明し、次に非ＮＧＮＵＮＩ端末装置６２ａとして家電機器（センサ）を接続したときの動作について説明する。
【００８２】
（非ＮＧＮＵＮＩ端末装置６２ａとして通信端末を接続したときの動作）
図１２は、図１１における第１ユニット４ａに、非ＮＧＮＵＮＩ端末装置６２ａとして通信端末（アナログ電話機）を接続した場合の動作例を示す。
【００８３】
図１２において、非ＮＧＮＵＮＩ端末装置６２ａ（アナログ電話機）が、オフフックしてダイヤルすると（ステップＥ１) 、第１ユニットＡ４ａの回線制御部４５がオフフックおよびダイヤル受信し、ＵＮＩ制御部４２がＩＮＶＩＴＥ信号(1) を第２ユニット５に送信する（ステップＥ２) 。第２ユニット５のＵＮＩ制御部５２がＩＮＶＩＴＥ信号(1) を受信し、ＩＮＶＩＴＥ信号(2) をＮＧＮ１に送信する（ステップＥ３) 。ＮＧＮ１から180Ringing信号(1) が返信されると（ステップＥ４) 、第２ユニット５のＵＮＩ制御部５２が180Ringing信号(1) を受信し、180Ringing信号(2) を第１ユニット４ａに送信する（ステップＥ５) 。第１ユニットＡ４ａのＵＮＩ制御部４２ａが180Ringing信号(2) を受信すると、回線制御部４５ａが呼出音を非ＮＧＮＵＮＩ端末装置６２ａ（アナログ電話機）に送信する（ステップＥ６) 。
【００８４】
ＮＧＮ１が 200ＯＫ信号(1) を送信すると（ステップＥ７) 、第２ユニット５のＵＮＩ制御部５２が 200ＯＫ信号(1) を受信し、 200ＯＫ信号(2) を第１ユニット４ａに送信する（ステップＥ８）。第１ユニット４ａのＵＮＩ制御部４２ａが 200ＯＫ信号(2) を受信すると、回線制御部４５ａが応答（リバース）を非ＮＧＮＵＮＩ端末装置６２ａ（アナログ電話機）に送信する（ステップＥ９) 。また、第１ユニット４ａのＵＮＩ制御部４２ａは、 200ＯＫ信号(2) を受信したことによりＡＣＫ信号(1) を第２ユニット５に送信し（ステップＥ10) 、第２ユニット５のＵＮＩ制御部５２がＡＣＫ信号(1) を受信すると、ＡＣＫ信号(2) をＮＧＮ１に送信する（ステップＥ11) 。
【００８５】
これにより、非ＮＧＮＵＮＩ端末装置６２ａ（アナログ電話機）とＮＧＮ１に接続された通信端末（図示せず）とは通話ができる状態になる（ステップＥ12) 。
【００８６】
終話により、非ＮＧＮＵＮＩ端末装置６２ａ（アナログ電話機）が切断信号（オンフック）を送信すると（ステップＥ13）、第１ユニットＡ４ａの回線制御部４５ａがオンフックを受信し、ＵＮＩ制御部４２ａがＢＹＥ信号(1) を第２ユニット５に送信する（ステップＥ14) 。第２ユニット５のＵＮＩ制御部５２がＢＹＥ信号(1) を受信すると、ＢＹＥ信号(2) をＮＧＮ１に送信する（ステップＥ15) 。ＮＧＮ１が 200ＯＫ信号(3) を送信すると（ステップＥ16) 、第２ユニット５のＵＮＩ制御部５２が 200ＯＫ信号(3) を受信し、 200ＯＫ信号(4) を第１ユニット４ａに送信する（ステップＥ17) 。これにより一連の動作が終了する。
【００８７】
（非ＮＧＮＵＮＩ端末装置６２ａとして家電機器を接続したときの動作）
図１３および図１４は、図１１における第１ユニット４ａに、非ＮＧＮＵＮＩ端末装置６２ａとして家電機器（センサ）を接続した場合の動作例を示す。ここでは、第１ユニット４ａの回線制御部４５ａが家電機器の機能区分（センサ）を含む家電機器情報を送出するものとする。
【００８８】
なお、 実施例１および実施例２で説明した動作との違いは、 第１ユニット４ａは家電機器情報をサービスセンタ２に送信するのではなく、第２ユニット５の家電機器制御部５５に送信すること、さらに第１ユニット４ａの家電機器制御情報を家電機器制御情報入手・蓄積部４６２に蓄積するのではなく、第２ユニット５の家電機器制御部５５の家電機器制御情報入手・蓄積部４６２に蓄積することである。この理由は、第２ユニット５の家電機器制御部５５において家電機器制御情報を集中的に管理することを可能にするためである。
【００８９】
はじめに、非ＮＧＮＵＮＩ端末装置６２ａ（センサ）が作動したとき、非ＮＧＮＵＮＩ端末装置６２ａ（センサ）を制御する家電機器制御情報（例えば、センサが異常を検出した場合に、異常をどこに通知するか）の入手に伴う動作について説明する。
【００９０】
図１３において、第１ユニット４ａに非ＮＧＮＵＮＩ端末装置６２ａ（センサ）が接続されたことにより、回線制御部４５の家電機器制御情報入手・蓄積部４６２に家電機器情報が伝えられると、家電機器制御情報入手・蓄積部４６２が第２ユニット５に家電機器情報を送信するために、ＵＮＩ制御部４２が第２ユニット５に接続するためのＩＮＶＩＴＥ信号(1) を送信する（ステップＦ１）。第２ユニット５のＵＮＩ制御部５２がＩＮＶＩＴＥ信号(1) を受信し、 200ＯＫ信号(1) を送信すると（ステップＦ２) 、第１ユニット４ａのＵＮＩ制御部４２が 200ＯＫ信号(1) を受信し、ＡＣＫ信号(1) を第２ユニット５のＵＮＩ制御部５２に送信する（ステップＦ３) 。
【００９１】
これにより、第１ユニット４ａと第２ユニット５との間で通信できる状態になり、第１ユニット４ａの家電機器制御情報入手・蓄積部４６２が家電機器情報を送信し、第２ユニット５の家電機器情報入手部４６１が受信する（ステップＦ４) 。
【００９２】
第１ユニット４ａは、家電機器情報の送信を終了したことにより、ＵＮＩ制御部４２がＢＹＥ信号(1) を送信すると（ステップＦ５) 、第２ユニット５のＵＮＩ制御部５２がＢＹＥ信号(1) を受信し、 200ＯＫ信号(2) を第１ユニット４ａに送信する（ステップＦ６）。
【００９３】
ステップＦ４において、第２ユニット５の家電機器制御部５５の家電機器情報入手部４６１が家電機器情報を受信すると、受信した家電機器情報を家電機器制御情報入手・蓄積部４６２に伝え、家電機器制御情報入手・蓄積部４６２が家電機器制御情報を入手するために、ＵＮＩ制御部５２がサービスセンタ２に接続するためのＩＮＶＩＴＥ信号(2) を送信する（ステップＦ７) 。サービスセンタ２がＩＮＶＩＴＥ信号(2) を受信し、 200ＯＫ信号(3) を送信すると（ステップＦ８) 、第２ユニット５のＵＮＩ制御部５２が 200ＯＫ信号(3) を受信し、ＡＣＫ信号(2) をサービスセンタ２に送信する（ステップＦ９) 。
【００９４】
これにより、第２ユニット５の家電機器制御情報入手・蓄積部４６２とサービスセンタ２との間で通信できる状態になり、第２ユニット５が家電機器情報を送信し、サービスセンタ２が家電機器情報を受信して家電機器制御情報を返送すると、第２ユニット５の家電機器制御情報入手・蓄積部４６２が家電機器制御情報を受信し、蓄積する（ステップＦ10) 。
【００９５】
なお、家電機器制御情報は、ユーザが予めサービスセンタ２に家電機器のサービスの申し込みを行っているものとする。ここでは、センサを使ったセキュリティサービスの申し込みを行っており、通知先の申し込みがなされているものとする。
【００９６】
第２ユニット５の家電機器制御情報入手・蓄積部４６２が家電機器制御情報を受信したことにより、ＵＮＩ制御部５２がＢＹＥ信号(2) を送信し（ステップＦ11）、サービスセンタ２がＢＹＥ信号(1) を受信すると、 200ＯＫ信号(4) を第２ユニット５に送信する（ステップＦ12) 。
【００９７】
次に、非ＮＧＮＵＮＩ端末装置６２ａ（センサ）の作動に対応する動作について説明する。
図１４において、非ＮＧＮＵＮＩ端末装置６２ａ（センサ）が作動すると（例えば、異常を検出すると）（ステップＦ13) 、検出データ（例えば、異常内容）を送信する（ステップＦ14) 。第１ユニット４ａの家電機器処理部４５４ａが検出データを受け取ると、非ＮＧＮＵＮＩ端末装置６２ａ（センサ）が作動した場合の制御についての問い合わせを第２ユニット５ができるようにするために、ＵＮＩ制御部４２がＩＮＶＩＴＥ信号(3) を第２ユニット５に送信する（ステップＦ15) 。第２ユニット５のＵＮＩ制御部５２がＩＮＶＩＴＥ信号(3) を受信すると、 200ＯＫ信号(5) を送信する（ステップＦ16）。第１ユニット４ａのＵＮＩ制御部４２が 200ＯＫ信号(5) を受信すると、ＡＣＫ信号(3) を第２ユニット５のＵＮＩ制御部５２に送信する（ステップＦ17) 。
【００９８】
これにより、第１ユニット４ａと第２ユニット５との間で通信できる状態になり、第１ユニッ卜４ａの家電機器制御情報入手・蓄積部４６２が作動した場合の制御についての問い合わせを送信すると、第２ユニット５の家電機器指示部４６３が家電機器制御情報入手・蓄積部４６２に蓄積されている家電機器情報を検索し、 回答を送信する（ステップＦ18) 。
【００９９】
第１ユニット４ａは回答を受信したことにより、ＵＮＩ制御部４２がＢＹＥ信号(3) を送信する（ステップＦ19) 。第２ユニット５のＵＮＩ制御部５２がＢＹＥ信号(3) を受信すると、 200ＯＫ信号(6) を第１ユニット４ａに送信する（ステップＦ20）。
【０１００】
ステップＦ18において、受信した回答（例えば、センサが異常を検出した場合に、異常をどこに通知するか）は家電機器処理部４５４に伝えられ、家電機器処理部４５４が通知先に通知できるために、ＵＮＩ制御部４２が通知先の端末装置（図示せず）に接続するためのＩＮＶＩＴＥ信号(4) を送信する（ステップＦ21）。第２ユニット５のＵＮＩ制御部５２がＩＮＶＩＴＥ信号(4) を受信すると、ＩＮＶＩＴＥ信号(5) をＮＧＮ１に送信する（ステップＦ22) 。ＮＧＮ１から 200ＯＫ信号(7) が返信されると（ステップＦ23) 、第２ユニット５のＵＮＩ制御部５２が 200ＯＫ信号(7) を受信し、 200ＯＫ信号(8) を第１ユニット４ａに送信する（ステップＦ24) 。第１ユニット４ａのＵＮＩ制御部４２ａが 200ＯＫ信号(8) を受信し、ＡＣＫ信号(4) を送信すると（ステップＦ25）、ＵＮＩ制御部５２がＡＣＫ信号(4) を受信し、ＡＣＫ信号(5) をＮＧＮ１に送信する（ステップＦ26) 。
【０１０１】
これにより、第１ユニット４ａと通知先の端末装置とは通信ができる状態になり、第１ユニット４ａが検出データを通知先の端末装置に送信する（ステップＦ27) 。
第１ユニット４ａが検出データの送信を終了したことにより、ＵＮＩ制御部４２がＢＹＥ信号(4) を送信する（ステップＦ28) 。第２ユニット５のＵＮＩ制御部５２がＢＹＥ信号(4) を受信すると、ＢＹＥ信号(5) をＮＧＮ１に送信する（ステップＦ29) 。ＮＧＮ１から 200ＯＫ信号(9) が返信されると（ステップＦ30) 、ＵＮＩ制御部５２が 200ＯＫ信号(9) を受信し、 200ＯＫ信号(10)を第１ユニット４ａに送信する（ステップＦ31) 。これにより一連の動作が終了する。
【０１０２】
このように実施例３によれば、ＮＧＮ光加入者線のＯＮＵ３１に、一端がＮＧＮＵＮＩであり他端が非ＮＧＮＵＮＩである第１ユニット４と、両端がＮＧＮＵＮＩである第２ユニット５とを組み合わせて接続することにより、１〜複数台の非ＮＧＮＵＮＩ端末装置と、１〜複数台のＮＧＮＮＵＩ端末装置とを組み合わせてＮＧＮに接続することが可能になる。
【産業上の利用可能性】
【０１０３】
エンドユーザにとっては、所有している端末装置（通信端末、家電機器）がそのままＮＧＮの光加入者線に接続して使用することができる。一方、通信事業者にとっては、エンドユーザがもっている端末装置（通信端末、家電機器）の種類や数に関わらずサービスの提供が可能になる。
【符号の説明】
【０１０４】
１  ＮＧＮ(Next Generation Network) 
２  サービスセンタ
３  網終端装置
４  第１ユニット
５  第２ユニット
６  端末装置
３１  ＯＮＵ（Optical Network Unit）
３２，３３  ＵＮＩ (User Network Interface) 
４１  主制御部
４２  ＵＮＩ制御部
４３  ＮＡＰＴ（Network Address and Port Translation）部
４４  スイッチ部
４５  回線制御部
４５１  回線対応部
４５２  信号処理部
４５３  メディア処理部
４５４  家電機器処理部
４６  家電機器制御部
４６１  家電機器情報入手部
４６２  家電機器制御情報入手・蓄積部
４６３  家電機器指示部
５１  主制御部
５２  ＵＮＩ制御部
５３  ＮＡＰＴ部
５４  スイッチ部
５５  家電機器制御部
５５１  ＵＮＩ対応部
６１  ＮＧＮＵＮＩ端末装置
６２  非ＮＧＮＵＮＩ端末装置
【先行技術文献】
【特許文献】
【０１０５】
【特許文献１】特開２０００−１６５５４１号公報
【特許文献２】特開２００７−３１６９４５号公報
【非特許文献】
【０１０６】
【非特許文献１】宇治則孝、「豊かなブロードバンド・ユビキタス社会を築くＮＧＮ」、ＮＴＴ技術ジャーナル  2007.12
【図１】
2010178180.tif 000003
【図２】
2010178180.tif 000004
【図３】
2010178180.tif 000005
【図４】
2010178180.tif 000006
【図５】
2010178180.tif 000007
【図６】
2010178180.tif 000008
【図７】
2010178180.tif 000009
【図８】
2010178180.tif 000010
【図９】
2010178180.tif 000011
【図１０】
2010178180.tif 000012
【図１１】
2010178180.tif 000013
【図１２】
2010178180.tif 000014
【図１３】
2010178180.tif 000015
【図１４】
2010178180.tif 000016
【図１５】
2010178180.tif 000017